(57)【要約】  【課題】様々な利用者宅にて簡単に家計簿情報を得るようにし、そのためのシステムを低コストで実現する。  【解決手段】  各利用者システム２、管理システム３を含む警報システムに購買情報管理システムを統合した。ＲＦタグ１と通信をするリーダ２１４を備え、タグ情報が得られるとタグ情報、警報器識別情報を管理システム３に送信する警報器２１と、ブラウザ機能を有する端末装置２２とを利用者システムに設けた。各利用者システム２の警報器識別情報毎に利用者情報を記憶する記憶部３１４を備え、利用者システム２からタグ情報、警報器識別情報を受信するとタグ情報を警報器識別情報に対応する利用者情報に対応付けて家計簿情報を作成する管理装置３１と、各利用者システム２に対して、警報器識別情報に対応する利用者情報に対応付けられて、管理装置３１で作成された家計簿情報を提供するＷＷＷサーバ３２とを管理システム３に設けた。【選択図】図１
2005250928.tif 000002
【特許請求の範囲】
【請求項１】
複数の利用者システムおよび管理システムを含む警報システムに、購買情報を管理する購買情報管理システムを統合して構成され、通信網を介した双方向通信用の利用者側通信手段と、この利用者側通信手段を介して、前記管理システムから家計簿情報を取得するための家計簿情報取得手段とが前記利用者システムで使用される警報・購買情報管理システムであって、
固有の識別情報を記憶する識別情報記憶手段と、周囲に異常が発生するとこれを検出する異常検出手段と、この異常検出手段により異常が検出されると、前記利用者側通信手段を介して、異常発生の報知情報および前記識別情報記憶手段に記憶された識別情報を前記管理システムに送信する報知手段と、所定エリア内のＲＦタグ付きの商品に対して、そのＲＦタグと通信をするＲＦ通信手段と、このＲＦ通信手段の通信により前記ＲＦタグからタグ情報が得られると、前記利用者側通信手段を介して、その得られたタグ情報および前記識別情報記憶手段に記憶された識別情報を前記管理システムに送信する家計簿付依頼手段とを、前記利用者システムに備える一方、
通信網を介した双方向通信用の管理側通信手段と、この管理側通信手段を介して前記利用者システムから前記報知情報および前記識別情報を受信すると、所定の警報処理を行う警報手段と、前記複数の利用者システムの識別情報毎に利用者情報を記憶する購買情報管理用記憶手段と、前記管理側通信手段を介して前記利用者システムから前記タグ情報および前記識別情報を受信すると、そのタグ情報を、前記購買情報管理用記憶手段に記憶され前記受信した識別情報に対応する利用者情報に対応付けて、前記家計簿情報を作成する家計簿情報作成手段と、前記管理側通信手段を介して、前記複数の利用者システムの家計簿情報取得手段の各々に対して、その利用者システムの識別情報に対応する利用者情報に対応付けられて、前記家計簿情報作成手段によって作成された家計簿情報を提供する家計簿情報提供手段とを、前記管理システムに備える
ことを特徴とする警報・購買情報管理システム。
【請求項２】
前記利用者側通信手段および前記管理側通信手段は、インターネットを含む通信網を介した双方向通信用であり、
前記管理システムの家計簿情報提供手段は、前記管理側通信手段を介して、前記複数の利用者システムの家計簿情報取得手段の各々に対して、その利用者システムの識別情報に対応する利用者情報に対応付けられて、前記家計簿情報作成手段によって作成された家計簿情報を閲覧可能に提供するＷＷＷサーバであり、
前記利用者システムの家計簿情報取得手段は、前記利用者側通信手段を介して前記管理システムのＷＷＷサーバから前記家計簿情報を取得して閲覧するための端末装置である
ことを特徴とする請求項１記載の警報・購買情報管理システム。
【請求項３】
前記利用者側通信手段は、第１通信網を介した双方向通信用で前記報知情報および前記識別情報を送信するための第１通信手段と、インターネットを含む第２通信網を介した双方向通信用で前記家計簿情報を取得するための第２通信手段とを含み、
前記管理側通信手段は、第１通信網を介した双方向通信用で前記利用者システムから前記報知情報および前記識別情報を受信する第１通信手段と、インターネットを含む第２通信網を介した双方向通信用で前記家計簿情報を前記利用者システムの家計簿情報取得手段に提供する第２通信手段とを含み、
前記管理システムの家計簿情報提供手段は、自己の第２通信手段を介して、前記複数の利用者システムの家計簿情報取得手段の各々に対して、その利用者システムの識別情報に対応する利用者情報に対応付けられて、前記家計簿情報作成手段によって作成された家計簿情報を閲覧可能に提供するＷＷＷサーバであり、
前記利用者システムの家計簿情報取得手段は、自己の第２通信手段を介して前記管理システムのＷＷＷサーバから前記家計簿情報を取得して閲覧するための端末装置である
ことを特徴とする請求項１記載の警報・購買情報管理システム。
【請求項４】
前記購買情報管理システムとして、ＲＦタグ付きの商品を販売する販売元に設けられる販売元システムを複数さらに含み、
前記販売元システムは、通信網を介した双方向通信用の販売側通信手段と、当該販売元が販売しているＲＦタグ付きの商品毎にその商品の各種情報を記憶する商品情報記憶手段と、前記販売側通信手段を介して、前記管理システムから当該販売元が販売しているＲＦタグ付きの商品について必要な情報の提供の依頼をする依頼情報を受信すると、その必要な情報を前記商品情報記憶手段から読み出して前記管理システムに送信する情報提供手段とを備え、
前記管理システムの家計簿情報作成手段は、前記利用者システムから前記タグ情報を受信したときに、そのタグ情報に前記家計簿情報を作成するために必要な情報が不足していた場合には、前記管理側通信手段を介して、前記複数の販売元システムのうち前記受信したタグ情報に該当する販売元システムに、そのタグ情報の商品について不足している必要な情報の提供の依頼をする依頼情報を送信し、その該当する販売元システムから必要な情報を受信すると、その必要な情報をさらに用いて前記家計簿情報を作成する
ことを特徴とする請求項１から３のいずれかに記載の警報・購買情報管理システム。
【請求項５】
請求項１から４のいずれかに記載の警報・購買情報管理システムに含まれ前記利用者システムを構成する警報器であって、
前記利用者側通信手段と接続するためのインタフェースと、前記識別情報記憶手段と、前記異常検出手段と、前記報知手段と、前記家計簿付依頼手段とを一体に備え、前記ＲＦ通信手段を一体ないし別体で備えることを特徴とする警報器。
【請求項６】
請求項１から４のいずれかに記載の警報・購買情報管理システムに含まれる管理システム。
【発明の詳細な説明】
【技術分野】
【０００１】
本発明は、複数の利用者システムおよび管理システムを含む警報システムに、購買情報を管理する購買情報管理システムを統合して構成される警報・購買情報管理システムおよびこれに含まれる警報器と管理システムに関するものである。
【背景技術】
【０００２】
従来、ガス漏れ、火災などの異常が発生した場合に、その異常に対して迅速な対応を可能にするべく、異常が発生したことを管理センタなどに自動通報する警報システムが各種提案されまた実用化されている。
【０００３】
従来の警報システムは、周囲にガス漏れ、火災などの異常が発生するとこれを検出するガスセンサ、火災センサなどのセンサ（感知器）を備え、センサにより異常が検出された場合に、通信網を介して異常発生の報知情報および識別情報等を送信する利用者システムと、この利用者システムから報知情報および識別情報等を受信すると、警報表示灯を点灯ないし点滅させたり、警報音を出したり、識別情報を基にどこそこでガス漏れ、火災などの異常が発生したことを表示ないし音声で報知したりするなど、所定の警報処理を行う管理システムとにより構成される。
【０００４】
特許文献１には、ガス検知機能と、火災検知機能と、この火災検知機能からの信号に基づく警報信号により警報を発令する警報出力部とを備えるガス・火災報知器（利用者システム）と、自動通報にて警報出力部からの警報を受ける登録された連絡先のシステム（管理システム）とにより構成される警報システムが開示されている。
【特許文献１】特開２００２−５６４７３号公報
【発明の開示】
【発明が解決しようとする課題】
【０００５】
ところで、近年、アンテナおよびＩＣチップを備えたＲＦタグがバーコードに代えて商品に取り付けられるようになりつつあり、バーコードでは実現することができなかった様々な利用法が提案されている。例えば、万引き防止に利用する方法や、商品を逐一取り出すことなく検品する方法などが提案されている。
【０００６】
本発明は、上記事情に鑑みてなされたものであり、ＲＦタグの利用法として、様々な利用者宅にて簡単に家計簿情報を得ることを可能とし、しかも様々な利用者宅にて家計簿情報を得るようにするためのシステムを低コストで実現することができる警報・購買情報管理システムおよびこれに含まれる警報器と管理システムを提供することを目的とする。
【課題を解決するための手段】
【０００７】
上記課題を解決するための請求項１記載の発明は、複数の利用者システムおよび管理システムを含む警報システムに、購買情報を管理する購買情報管理システムを統合して構成され、通信網を介した双方向通信用の利用者側通信手段と、この利用者側通信手段を介して、前記管理システムから家計簿情報を取得するための家計簿情報取得手段とが前記利用者システムで使用される警報・購買情報管理システムであって、固有の識別情報を記憶する識別情報記憶手段と、周囲に異常が発生するとこれを検出する異常検出手段と、この異常検出手段により異常が検出されると、前記利用者側通信手段を介して、異常発生の報知情報および前記識別情報記憶手段に記憶された識別情報を前記管理システムに送信する報知手段と、所定エリア内のＲＦタグ付きの商品に対して、そのＲＦタグと通信をするＲＦ通信手段と、このＲＦ通信手段の通信により前記ＲＦタグからタグ情報が得られると、前記利用者側通信手段を介して、その得られたタグ情報および前記識別情報記憶手段に記憶された識別情報を前記管理システムに送信する家計簿付依頼手段とを、前記利用者システムに備える一方、通信網を介した双方向通信用の管理側通信手段と、この管理側通信手段を介して前記利用者システムから前記報知情報および前記識別情報を受信すると、所定の警報処理を行う警報手段と、前記複数の利用者システムの識別情報毎に利用者情報を記憶する購買情報管理用記憶手段と、前記管理側通信手段を介して前記利用者システムから前記タグ情報および前記識別情報を受信すると、そのタグ情報を、前記購買情報管理用記憶手段に記憶され前記受信した識別情報に対応する利用者情報に対応付けて、前記家計簿情報を作成する家計簿情報作成手段と、前記管理側通信手段を介して、前記複数の利用者システムの家計簿情報取得手段の各々に対して、その利用者システムの識別情報に対応する利用者情報に対応付けられて、前記家計簿情報作成手段によって作成された家計簿情報を提供する家計簿情報提供手段とを、前記管理システムに備えることを特徴とする。
【０００８】
この構成では、利用者が買物をして帰宅した場合に、ＲＦタグ付きの商品を所定エリア内に置けば、そのＲＦタグから得られるタグ情報が利用者システムにより読み取られて管理システムに送られ、管理システムによりタグ情報からその利用者用の家計簿情報が作成されて利用者システムの家計簿情報取得手段に提供されるので、様々な利用者宅にて簡単に家計簿情報を得ることを可能とし、しかも様々な利用者宅にて家計簿情報を得るようにするためのシステムを低コストで実現することができる。
【０００９】
請求項２記載の発明は、請求項１記載の警報・購買情報管理システムにおいて、前記利用者側通信手段および前記管理側通信手段は、インターネットを含む通信網を介した双方向通信用であり、前記管理システムの家計簿情報提供手段は、前記管理側通信手段を介して、前記複数の利用者システムの家計簿情報取得手段の各々に対して、その利用者システムの識別情報に対応する利用者情報に対応付けられて、前記家計簿情報作成手段によって作成された家計簿情報を閲覧可能に提供するＷＷＷサーバであり、前記利用者システムの家計簿情報取得手段は、前記利用者側通信手段を介して前記管理システムのＷＷＷサーバから前記家計簿情報を取得して閲覧するための端末装置であることを特徴とする。この構成では、利用者は、自己の端末装置で管理システムのＷＷＷサーバにアクセスすることにより、自己の家計簿情報を閲覧することができる。
【００１０】
請求項３記載の発明は、請求項１記載の警報・購買情報管理システムにおいて、前記利用者側通信手段は、第１通信網を介した双方向通信用で前記報知情報および前記識別情報を送信するための第１通信手段と、インターネットを含む第２通信網を介した双方向通信用で前記家計簿情報を取得するための第２通信手段とを含み、前記管理側通信手段は、第１通信網を介した双方向通信用で前記利用者システムから前記報知情報および前記識別情報を受信する第１通信手段と、インターネットを含む第２通信網を介した双方向通信用で前記家計簿情報を前記利用者システムの家計簿情報取得手段に提供する第２通信手段とを含み、前記管理システムの家計簿情報提供手段は、自己の第２通信手段を介して、前記複数の利用者システムの家計簿情報取得手段の各々に対して、その利用者システムの識別情報に対応する利用者情報に対応付けられて、前記家計簿情報作成手段によって作成された家計簿情報を閲覧可能に提供するＷＷＷサーバであり、前記利用者システムの家計簿情報取得手段は、自己の第２通信手段を介して前記管理システムのＷＷＷサーバから前記家計簿情報を取得して閲覧するための端末装置であることを特徴とする。この構成では、利用者は、自己の端末装置で管理システムのＷＷＷサーバにアクセスすることにより、自己の家計簿情報を閲覧することができる。また、警報システムシステム用の通信を購買情報管理システム用の通信から分離することができる。
【００１１】
請求項４記載の発明は、請求項１から３のいずれかに記載の警報・購買情報管理システムにおいて、前記購買情報管理システムとして、ＲＦタグ付きの商品を販売する販売元に設けられる販売元システムを複数さらに含み、前記販売元システムは、通信網を介した双方向通信用の販売側通信手段と、当該販売元が販売しているＲＦタグ付きの商品毎にその商品の各種情報を記憶する商品情報記憶手段と、前記販売側通信手段を介して、前記管理システムから当該販売元が販売しているＲＦタグ付きの商品について必要な情報の提供の依頼をする依頼情報を受信すると、その必要な情報を前記商品情報記憶手段から読み出して前記管理システムに送信する情報提供手段とを備え、前記管理システムの家計簿情報作成手段は、前記利用者システムから前記タグ情報を受信したときに、そのタグ情報に前記家計簿情報を作成するために必要な情報が不足していた場合には、前記管理側通信手段を介して、前記複数の販売元システムのうち前記受信したタグ情報に該当する販売元システムに、そのタグ情報の商品について不足している必要な情報の提供の依頼をする依頼情報を送信し、その該当する販売元システムから必要な情報を受信すると、その必要な情報をさらに用いて前記家計簿情報を作成することを特徴とする。この構成では、利用者が買物をした商品のＲＦタグに、家計簿情報を作成するために必要な情報が記憶されていなかった場合でも、家計簿情報を作成することができる。
【００１２】
請求項５記載の発明は、請求項１から４のいずれかに記載の警報・購買情報管理システムに含まれ前記利用者システムを構成する警報器であって、前記利用者側通信手段と接続するためのインタフェースと、前記識別情報記憶手段と、前記異常検出手段と、前記報知手段と、前記家計簿付依頼手段とを一体に備え、前記ＲＦ通信手段を一体ないし別体で備えることを特徴とする。この構成でも、本警報器を警報・購買情報管理システムに含めることにより、様々な利用者宅にて簡単に家計簿情報を得ることを可能とし、しかも、警報器とは別に家計簿情報取得手段を用意するだけで、管理システムから家計簿情報を取得することができるので、様々な利用者宅にて家計簿情報を得るようにするためのシステムを低コストで実現することができる。
【００１３】
請求項６記載の発明は、請求項１から４のいずれかに記載の警報・購買情報管理システムに含まれる管理システムである。この構成でも、本管理システムを警報・購買情報管理システムに含めることにより、様々な利用者宅にて簡単に家計簿情報を得ることを可能とし、しかも様々な利用者宅にて家計簿情報を得るようにするためのシステムを低コストで実現することができる。
【発明の効果】
【００１４】
本発明によれば、様々な利用者宅にて簡単に家計簿情報を得ることを可能とし、しかも様々な利用者宅にて家計簿情報を得るようにするためのシステムを低コストで実現することができる。
【発明を実施するための最良の形態】
【００１５】
図１は本発明による一実施形態の警報・購買情報管理システムの構成図、図２は同警報・購買情報管理システムの模式図である。
【００１６】
本実施形態の警報・購買情報管理システムは、図１，図２に示すように、各種商品に取り付けられたＲＦタグ１を利用して購買情報を管理（本実施形態では家計簿付を代行）する購買情報管理システムを、複数の利用者システム２および管理システム３を含む警報システムに統合して構成されるものであり、購買情報管理システムの一部として、ＲＦタグ１付きの商品を販売する販売元に設けられる販売元システム４をさらに複数含んだ構成となっている。
【００１７】
ＲＦタグ１は、ＲＦ−ＩＤ(Radio Frequency identification)という無線通信による非接触型の自動認識技術を利用するものであり、図１に示すように、アンテナ１１およびＩＣチップ１２により構成され、アンテナ１１を介して、同自動認識技術を利用するリーダ（リーダ・ライタ）からの送信エネルギーを受けて起動し、ＩＣチップ１２内のメモリに記憶している情報を送信したり、受信した情報をメモリに書き込んだりするようになっている。ここで、ＩＣチップ１２内のメモリには、タグ情報として、各ＲＦタグ１を識別するための固有の識別情報（ＲＦタグ識別情報）と、当該ＲＦタグ１が取り付けられる商品の商品情報とが記憶されているものとする。また、商品情報としては、商品の販売元等によって、食料品または衣類などの商品の種別を示す種別情報、製造メーカまたは生産者などを示す生産元情報、商品番号情報、販売店名情報、および販売価格を示す価格情報などの各種情報が書き込まれているとする。
【００１８】
利用者システム２は、インターネットＩＮを含む通信網を介した双方向通信用で例えば無線ＬＡＮ(Local Area Network) 用のルータ２０を備えているとともに、警報器２１と、端末装置２２とを備えている。
【００１９】
警報器２１は、警報システム用として、ルータ２０が接続されたＬＡＮ（ここでは無線ＬＡＮ）に接続するためのインタフェース２１１と、周囲にガス漏れないし火災などの異常が発生するとこれを検出するセンサ２１２とを備えている一方、購買情報管理システム用として、アンテナ２１３と、所定エリア内（例えばアンテナ２１３から数メートル内）にＲＦタグ１付きの商品が入ると、アンテナ２１３を介してそのＲＦタグ１と通信をするリーダ２１４とを備え、両システム用として、記憶部２１５と、制御部２１０とを備えている。
【００２０】
記憶部２１５は、例えば半導体記憶装置などであり、警報器２１の動作に必要となる各種情報を記憶する。例えば、警報システム用として、各警報器２１を識別するための固有の識別情報（警報器識別情報）および管理システム３のＩＰアドレス情報などが記憶されている一方、購買情報管理システム用として、ＲＦタグ１から得られる情報が一時的に記憶される。
【００２１】
制御部２１０は、例えばＣＰＵ(Central Processing Unit) 、主記憶装置およびプログラムなどにより構成され、警報器２１全般の制御などの処理を実行するものであり、報知機能２１０ａおよび家計簿付依頼機能２１０ｂなどの各種処理機能を有している。
【００２２】
報知機能２１０ａは、センサ２１２により異常が検出されると、インタフェース２１１およびルータ２０を介して、異常発生の報知情報および記憶部２１５に記憶された警報器識別情報を管理システム３に送信する処理を実行する。
【００２３】
家計簿付依頼機能２１０ｂは、リーダ２１４の通信によりＲＦタグ１からタグ情報が得られると、そのタグ情報を記憶部２１５に一時記憶し、インタフェース２１１およびルータ２０を介して、記憶部２１５に記憶しているタグ情報および警報器識別情報を管理システム３に送信する処理を実行する。具体的には、所定エリア内にＲＦタグ１付きの商品が入って、そのＲＦタグ１と通信可能となれば、通信をしてタグ情報を取得し、タグ情報に含まれるＲＦタグ識別情報を基に、重複しないようにタグ情報を記憶部２１５に一時記憶し、所定エリア内の全てのＲＦタグ１からタグ情報の取得を完了したとみなせる所定時間経過後、記憶部２１５に記憶しているタグ情報および警報器識別情報を管理システム３に送信する処理が実行される。なお、上記所定エリアと同程度の検出エリアを持つ人感センサをさらに備え、その人感センサが人を検出した場合に、リーダ２１４を所定時間動作させるようにしてもよい。また、所定エリアに商品を個々に置くようにしてもよく、この場合、所定エリアに置かれた商品との通信が完了した時点で、その旨を発光素子で点灯表示するようにしてもよい。
【００２４】
端末装置２２は、ルータ２０を介して管理システム３から家計簿情報を取得するためのパソコンまたはＰＤＡ(Personal Digital Assistance) などであり、ＷＷＷ(World Wide Web)サーバにサクセスして情報を閲覧するためのブラウザ機能を有している。ただし、端末装置２２は、図１の例では、ルータ２０を介してインターネットＩＮに接続する構成になっているが、これに限らず、いわゆるブラウザ機能を有するものであれば、携帯電話やＰＨＳ(Personal Handyphone System)などでもよく、これら携帯電話やＰＨＳなどの端末装置も利用者システム２に含まれるとする。
【００２５】
管理システム３は、インターネットＩＮを含む通信網を介した双方向通信用のルータ３０を備えているとともに、管理装置３１と、ＷＷＷサーバ３２とを備えている。
【００２６】
管理装置３１は、警報システム用として、ルータ３０が接続されたＬＡＮに接続するためのインタフェース３１１と、キーボードなどの操作入力部３１２と、ＣＲＴ(Cathode Ray Tube)ディスプレイ、ＬＣＤ(Liquid Crystal Display)またはＰＤＰ(Plasma Display Panel)などの表示部３１３とを備える一方、警報システムおよび購買情報管理システム用として、記憶部３１４と、制御部３１０とを備えている。
【００２７】
記憶部３１４は、例えばハードディスク装置などであり、管理装置３１の動作に必要となる各種情報を記憶する。例えば、各利用者システム２の警報器２１の警報器識別情報毎に、その警報器２１が設置されている利用者宅の利用者名（氏名）、住所、アクセス名（アクセス用の名前）およびパスワードなどの利用者情報が記憶されている。また、利用者情報ないし警報器識別情報毎に、家計簿情報を構成する各種データが記憶される。なお、各警報器２１へのＩＰアドレス情報が記憶される場合もある。また、警報器２１の警報器識別情報とは別に利用者システム２の識別情報を設けてもよい。
【００２８】
制御部３１０は、例えばＣＰＵ、主記憶装置およびプログラムなどにより構成され、管理装置３１全般の制御などの処理を実行するものであり、警報機能３１０ａ、購買情報更新機能３１０ｂおよび家計簿情報作成機能３１０ｃなどの各種処理機能を有している。
【００２９】
警報機能３１０ａは、ルータ３０およびインタフェース３１１を介して利用者システム２から報知情報および警報器識別情報を受信すると、所定の警報処理を実行する。具体的には、警報表示灯（図示せず）を点灯ないし点滅させたり、スピーカ（図示せず）から警報音を出したり、記憶部３１４に記憶され、受信した警報器識別情報に対応付けられている利用者名および住所によって示される利用者宅で、ガス漏れないし火災などの異常が発生したことを表示ないし音声で報知したりする処理が実行される。
【００３０】
購買情報更新機能３１０ｂは、ルータ３０およびインタフェース３１１を介して利用者システム２からタグ情報および警報器識別情報を受信すると、そのタグ情報を、記憶部３１４に記憶され上記受信した警報器識別情報に対応する利用者情報に対応付けて記憶部３１４に記憶するとともに、後述の如く、家計簿情報作成機能３１０ｃが家計簿情報を作成（更新）し終えると、インタフェース３１１を介してＷＷＷサーバ３２にアクセスして、ＷＷＷサーバ３２（記憶部３２２）にも記憶されている家計簿情報を更新する処理を実行する。
【００３１】
家計簿情報作成機能３１０ｃは、購買情報更新機能３１０ｂと協調して、これがタグ情報を利用者情報に対応付けて記憶部３１４に記憶する際に、家計簿情報を作成（更新）する処理を実行する。例えば、タグ情報に含まれる各種情報が、リレーショナルデータベース形式の家計簿情報を構成する各種フィールドに格納されて記憶部３１４に記憶される。具体的には、利用者システム２からのタグ情報および警報器識別情報の受信をトリガとして、各タグ情報に含まれるＲＦタグ識別情報毎に新規レコードを作成し、ＲＦタグ識別情報を新規レコードにおけるＲＦタグ識別情報のフィールドに格納するとともに、新規レコードにおける日付情報のフィールドに現在の日付情報を格納した上で、ＲＦタグ識別情報に対応付けられている種別情報および価格情報などを、それぞれ新規レコードにおける種別情報および価格情報などのフィールドにそれぞれ格納する処理が実行される。つまり、購買情報更新機能３１０ｂによってタグ情報が記憶部３１４に記憶される際に、そのタグ情報の各データを上記各種フィールドに振り分けて家計簿情報の自動入力を行うことにより、その自動入力の終了時点で、その日付情報のフィールドに入力された最終の日付までの家計簿情報が作成されるのである。
【００３２】
また、家計簿情報作成機能３１０ｃは、利用者システム２からタグ情報を受信したときに、そのタグ情報に家計簿情報を作成するために必要な情報が不足していた場合には、インタフェース３１１およびルータ３０を介して、複数の販売元システム４のうち受信したタグ情報（例えば販売店名情報ないし販売店識別情報）に該当する販売元システム４に、その情報に対応付けられた通信用情報（電話番号、アドレス等）を用いて、そのタグ情報の商品について不足している必要な情報の提供の依頼をする依頼情報を送信し、その該当する販売元システム４から必要な情報を受信すると、その必要な情報をさらに用いて家計簿情報を作成する処理を実行する。例えば、何らかの原因で価格情報が不足していた場合には、販売元システム４から価格情報を取得して、価格情報のフィールドに格納する処理が実行される。なお、ＷＷＷサーバ３２を通して必要な情報を登録することができるようにしてもよい。
【００３３】
ＷＷＷサーバ３２は、ルータ３０が接続されたＬＡＮに接続するためのインタフェース３２１と、ハードディスク装置により構成され、利用者情報および管理装置３１から得られる家計簿情報などを記憶する記憶部３２２とを備えたコンピュータであり、家計簿情報提供機能３２３などの各種処理機能を有している。なお、ハードディスク装置に代えて、ファイルサーバと接続してこれを実質的に備える構成でもよく、あるいは記憶部３１４をそのファイルサーバとして管理装置３１とＷＷＷサーバ３２とで共有する構成でもよい。
【００３４】
家計簿情報提供機能３２３は、インタフェース３２１およびルータ３０を介して、複数の利用者システム２の端末装置２２の各々に対して、その利用者システム２の警報器識別情報に対応する利用者情報に対応付けられて、家計簿情報作成機能３１０ｃによって作成された家計簿情報を提供する処理を実行する。例えば、端末装置２２から家計簿情報を閲覧するためのアクセスがあると、アクセス名およびパスワードを要求する画面を端末装置２２に表示するようにし、端末装置２２から正規のアクセス名およびパスワードが送られてくると、それらアクセス名およびパスワードに対応する家計簿情報を閲覧可能に提供する処理が実行される。
【００３５】
販売元システム４は、インターネットＩＮを含む通信網を介した双方向通信用のルータ４０を備えているとともに、情報提供管理装置４１を備えている。
【００３６】
情報提供管理装置４１は、ルータ４０が接続されたＬＡＮに接続するためのインタフェース４１１と、キーボードなどの操作入力部４１２と、ＣＲＴディスプレイ、ＬＣＤまたはＰＤＰなどの表示部４１３と、アンテナ４１４と、アンテナ４１４を介してＲＦタグ１と通信をするリーダ・ライタ４１５とを備えているとともに、記憶部４１６と、制御部４１０とを備えている。
【００３７】
記憶部４１６は、例えばハードディスク装置などであり、情報提供管理装置４１の動作に必要となる各種情報を記憶する。例えば、当該販売元が販売しているＲＦタグ１付きの商品毎にその商品の各種情報（価格、品名等）が記憶される。
【００３８】
制御部４１０は、例えばＣＰＵ、主記憶装置およびプログラムなどにより構成され、情報提供管理装置４１全般の制御などの処理を実行するものであり、情報入力機能４１０ａおよび情報提供機能４１０ｂなどの各種処理機能を有している。
【００３９】
情報入力機能４１０ａは、所定エリア内にＲＦタグ１付きの商品が入って、そのＲＦタグ１と通信可能となれば、通信をしてタグ情報を取得し、タグ情報に含まれるＲＦタグ識別情報を基に、予め決められた価格情報および販売店名情報などをＲＦタグ１内のメモリに記憶するとともに、そのＲＦタグ１の最終的なタグ情報を記憶部４１６に記憶する処理を実行する。
【００４０】
情報提供機能４１０ｂは、ルータ４０およびインタフェース４１１を介して、管理システム３から当該販売元が販売しているＲＦタグ１付きの商品について必要な情報の提供の依頼をする依頼情報を受信すると、その必要な情報を記憶部４１６から読み出して管理システム３に送信する処理を実行する。なお、管理システム３と同様に、ＷＷＷサーバを設け、このＷＷＷサーバに情報提供機能を具備するようにしてもよい。
【００４１】
次に本実施形態の警報・購買情報管理システムの動作について説明する。先ず警報システムとしての動作について説明する。ある利用者システム２において、ガス漏れないし火災などの異常が発生すると、異常発生の報知情報および警報器識別情報がインタフェース２１１およびルータ２０を介して管理システム３に送信される。
【００４２】
管理システム３において、利用者システム２からの報知情報および警報器識別情報が受信されると、所定の警報処理が実行される。例えば、警報表示灯を点灯ないし点滅させたり、スピーカから警報音を出したり、どこそこの利用者宅で、ガス漏れないし火災などの異常が発生したことを表示ないし音声で報知したりする処理が実行される。これにより、異常に対して迅速な対応が可能となる。
【００４３】
次に購買情報管理システムとしての動作について説明する。ある利用者システム２において、所定エリア内にＲＦタグ１付きの商品が入って、そのＲＦタグ１と通信可能になると、ＲＦタグ１からタグ情報が取得され、タグ情報に含まれるＲＦタグ識別情報を基に、重複しないようにタグ情報が記憶部２１５に一時記憶される。この場合、ＲＦタグ１付きの商品が複数入った場合には、個々のＲＦタグ１に対して同様の処理が実行される。この後、所定エリア内の全てのＲＦタグ１からタグ情報の取得を完了したとみなせる所定時間が経過すると、インタフェース２１１およびルータ２０を介して、記憶部２１５に記憶しているタグ情報および警報器識別情報が管理システム３に送信される。なお、所定エリアに商品を個々に置く場合には、タグ情報が個々に取得され、記憶部２１５に一時記憶される。
【００４４】
管理システム３において、利用者システム２からのタグ情報および警報器識別情報が受信されると、そのタグ情報は、記憶部３１４に記憶され上記受信された警報器識別情報に対応する利用者情報に対応付けられて、家計簿情報が作成（更新）される。
【００４５】
このとき、タグ情報に家計簿情報を作成するために必要な情報が不足していれば、インタフェース３１１およびルータ３０を介して、複数の販売元システム４のうち受信したタグ情報に該当する販売元システム４に、そのタグ情報の商品について不足している必要な情報の提供の依頼をする依頼情報が送信される。
【００４６】
販売元システム４において、管理システム３から当該販売元が販売しているＲＦタグ１付きの商品について必要な情報の提供の依頼をする依頼情報が受信されると、その必要な情報が記憶部４１６から読み出されてインターフェース４１１およびルータ４０を介して管理システム３に送信される。
【００４７】
管理システム３において、販売元システム４から必要な情報が受信されると、その必要な情報がさらに使用されて家計簿情報が作成される。続いて、ＷＷＷサーバ３２にも保持されている家計簿情報が更新される。
【００４８】
以上により、利用者システム２の端末装置２２で、管理システム３のＷＷＷサーバ３２にアクセスし、アクセス名およびパスワードを正しく入力すれば、自己の家計簿情報を閲覧することができる。
【００４９】
なお、本実施形態では、監視システム用の通信手段は、インターネットＩＮを含む通信網を介して双方向通信をする構成になっているが、これに限らず、公衆通信網または専用通信網などを介して双方向通信をする構成でもよい。例えば、購買情報管理システムとしての利用者システム２および管理システム３には、インターネットＩＮを含む通信網を介して双方向通信をするルータ２０，３０の現状の構成を維持し、監視システムとしての利用者システム２および管理システム３の各々には、公衆通信網または専用通信網などを介して双方向通信をするＮＣＵ(Network Control Unit)またはデータ回線終端装置（ＤＣＥ）などの通信手段をさらに設ける構成でもよい。
【００５０】
また、図１の例では、リーダ２１４は、警報器２１内に設けられているが、これに限らず、警報器２１外に設けられ、ケーブルで警報器２１と直結される構成でも、無線ＬＡＮを介して警報器２１と接続される構成でもよい。このような構成によれば、リーダ２１４を所望の場所に設置することが可能となる。
【００５１】
さらに、買物価格進捗により買物目標額に対し買物ナビゲーションを行うようにしてもよい。
【図面の簡単な説明】
【００５２】
【図１】本発明による一実施形態の警報・購買情報管理システムの構成図である。
【図２】同警報・購買情報管理システムの模式図である。
【符号の説明】
【００５３】
１  ＲＦタグ
１１  アンテナ
１２  ＩＣチップ
２  利用者システム
２０  ルータ
２１  警報器
２２  端末装置
３  管理システム
３０  ルータ
３１  管理装置
３２  ＷＷＷサーバ
４  販売元システム
４０  ルータ
４１  情報提供管理装置
【図１】
2005250928.tif 000003
【図２】
2005250928.tif 000004